(57)【要約】【課題】仕切紙と成果物とが同じ排紙先に出力されるようにすることを目的とする。【解決手段】印刷用データを解析する解析手段と、解析の結果、印刷用データに仕切紙データが含まれる場合、印刷用データの成果物データの排紙先設定に基づき仕切紙データの排紙先設定を書き換える書き換え手段と、を有することによって課題を解決する。【選択図】図５
2017134285.tif 000002
【特許請求の範囲】
【請求項１】
印刷用データを解析する解析手段と、
前記解析の結果、前記印刷用データに仕切紙データが含まれる場合、前記印刷用データの成果物データの排紙先設定に基づき前記仕切紙データの排紙先設定を書き換える書き換え手段と、
を有する画像処理装置。
【請求項２】
前記書き換え手段により前記排紙先設定を書き換えられた前記仕切紙データをプリンタ部に送信する第１の送信手段と、
前記成果物データを前記プリンタ部に送信する第２の送信手段と、
を更に有する請求項１記載の画像処理装置。
【請求項３】
前記解析の結果、前記印刷用データに仕切紙データが含まれる場合、成果物データの排紙先設定を読み込む読み込み手段を更に有し、
前記書き換え手段は、前記読み込まれた前記成果物の排紙先設定に基づき前記仕切紙データの排紙先設定を書き換える請求項１又は２記載の画像処理装置。
【請求項４】
仕切紙と成果物とを同じ排紙先に揃えて出力する設定か否かを判定する第１の判定手段を更に有し、
前記第１の判定手段により仕切紙と成果物とを同じ排紙先に揃えて出力する設定であると判定された場合、前記書き換え手段は、前記印刷用データの成果物データの排紙先設定に基づき前記仕切紙データの排紙先設定を書き換える請求項１乃至３何れか１項記載の画像処理装置。
【請求項５】
仕切紙と成果物とを同じ排紙先に揃えて出力する否かを設定する第１の設定手段を更に有する請求項４記載の画像処理装置。
【請求項６】
仕切紙の印刷面設定を変更するか否かを判定する第２の判定手段を更に有し、
前記第２の判定手段により仕切紙の印刷面設定を変更すると判定された場合、前記仕切紙データの印刷面設定を変更する第１の変更手段を更に有する請求項１乃至５何れか１項記載の画像処理装置。
【請求項７】
仕切紙の印刷面設定を変更するか否かを設定する第２の設定手段を更に有する請求項６記載の画像処理装置。
【請求項８】
仕切紙の印刷向きを変更するか否かを判定する第３の判定手段を更に有し、
前記第３の判定手段により仕切紙の印刷向きを変更すると判定された場合、前記仕切紙データの印刷向きを変更する第２の変更手段を更に有する請求項１乃至７何れか１項記載の画像処理装置。
【請求項９】
仕切紙の印刷向きを変更するか否かを設定する第３の設定手段を更に有する請求項８記載の画像処理装置。
【請求項１０】
画像処理装置が実行する情報処理方法であって、
印刷用データを解析する解析工程と、
前記解析の結果、前記印刷用データに仕切紙データが含まれる場合、前記印刷用データの成果物データの排紙先設定に基づき前記仕切紙データの排紙先設定を書き換える書き換え工程と、
を含む情報処理方法。
【請求項１１】
コンピュータを請求項１乃至９何れか１項記載の画像処理装置の各手段として機能させるためのプログラム。
【発明の詳細な説明】
【技術分野】
【０００１】
本発明は、画像処理装置、情報処理方法及びプログラムに関する。
【背景技術】
【０００２】
近年、レーザプリンタやデジタル複合機等の画像出力装置を用いたプロダクションプリントの分野では、ステイプルやパンチ穴開け、折り、製本綴じ等の多彩なフィニッシング機能を搭載したフィニッシャを接続できる画像出力装置が増えている。これらのフィニッシャでは、大量の画像データを画像出力装置で記録媒体に出力するために排紙先を複数備えるものもある。またフィニッシング機能によって通常の排紙先とは異なる専用の排紙先に出力するものもある。
一方、複数の成果物を複数部ずつ出力する場合において、オペレータは排紙先から用紙を取り出す際に、成果物と成果物との切れ目が分かりにくいことがある。特許文献１では、成果物と成果物との区切りが分かるようにするために、色紙や成果物の情報が記された用紙で成果物と成果物との間を仕切ることができる技術が開示されている。
【先行技術文献】
【特許文献】
【０００３】
【特許文献１】特開２００２−３７４３８８号公報
【発明の概要】
【発明が解決しようとする課題】
【０００４】
しかしながら、上記従来技術においては、成果物に指定したフィニッシング機能によって仕切紙の排紙先と成果物との排紙先を一致させることができず、別々の排紙先に出力してしまうという課題がある。
例えば、フィニッシャによって用紙の真ん中で折って綴じる中綴じ製本処理が成果物に指定してあった場合、仕切紙は画像出力装置がもつ初期設定の排紙先情報に従って出力される。一方、成果物は中綴じ製本処理の出力を排紙する排紙先から出力される。そのため成果物と仕切紙とが別の排紙先に出力されるため、仕切紙が成果物と成果物とを仕切る役目をしない場合があった。
本発明は、仕切紙と成果物とが同じ排紙先に出力されるようにすることを目的とする。
【課題を解決するための手段】
【０００５】
本発明の画像処理装置は、印刷用データを解析する解析手段と、前記解析の結果、前記印刷用データに仕切紙データが含まれる場合、前記印刷用データの成果物データの排紙先設定に基づき前記仕切紙データの排紙先設定を書き換える書き換え手段と、を有する。
【発明の効果】
【０００６】
本発明によれば、仕切紙と成果物とが同じ排紙先に出力されるようにすることができる。
【図面の簡単な説明】
【０００７】
【図１】画像出力装置の全体構成の一例を示す図である。
【図２】画像出力装置のハードウェア構成の一例を示す図である。
【図３】フィニッシャの断面の一例を示す図である。
【図４】印刷用データのデータ構造の一例を示す図である。
【図５】実施形態１の情報処理の一例を示すフローチャートである。
【図６】実施形態１の仕切紙付き成果物印刷の出力の結果を示す図である。
【図７】実施形態２の情報処理の一例を示すフローチャートである。
【図８】実施形態２の仕切紙付き成果物印刷の出力の結果を示す図である。
【図９】実施形態３の情報処理の一例を示すフローチャートである。
【図１０】実施形態３の仕切紙付き成果物印刷の出力の結果を示す図である。
【図１１】実施形態４の情報処理の一例を示すフローチャートである。
【図１２】実施形態４の仕切紙付き成果物印刷の出力の結果を示す図である。
【発明を実施するための形態】
【０００８】
以下、本発明の実施形態について図面に基づいて説明する。
【０００９】
＜実施形態１＞
（全体構成）
図１は、画像出力装置１００の全体構成の一例を示す図である。画像出力装置１００は、画像処理装置の一例である。
画像出力装置１００は、例えば電子写真方式の画像出力装置である。画像出力装置１００は、操作部１０１、フィニッシャ１０２、排紙トレイ１１０ａ〜１１０ｂを有している。画像出力装置１００は後述する外部インタフェース（以下、外部Ｉ／Ｆと記す）２０９を介して外部装置１２０に接続されている。
操作部１０１は、例えば静電容量方式のタッチパネルを備えたオペレータインターフェースである。画像出力装置１００は、タッチパネルを介して画像出力装置１００の各種情報表示やオペレータによる画像出力装置１００の入力操作を受け付ける。
フィニッシャ１０２は、後述するが記録媒体である記録紙に折り等の多彩なフィニッシングを施すユニットである。
排紙トレイ１１０ａ〜１１０ｂは、画像出力装置１００から記録紙を排出する排紙先である。
外部装置１２０は、原稿データから後述する印刷用データ４００を生成する装置であり、オペレータが設定した印刷設定を受け付けて、印刷用データ４００を生成するときに印刷設定を含めて生成する。そして外部装置１２０は、後述する外部Ｉ／Ｆ２０９を介して画像出力装置１００と接続し、作成した画像を表すコードデータ（例えばページ記述言語データ）を画像出力装置１００に送信する。
【００１０】
（画像出力装置１００のハードウェア構成）
図２は、画像出力装置１００のハードウェア構成の一例を示す図である。
画像出力装置１００は、操作部１０１、フィニッシャ１０２、排紙トレイ１１０、中央演算装置２０１（以下、ＣＰＵ２０１と記す）、メモリ２０２、エンジンインターフェース（以下、エンジンＩ／Ｆと記す）２０３、記憶部２０４を有する。更に、画像出力装置１００は、システムバス２０５、プリンタ部２０６等を有している。また、プリンタ部２０６は、画像を形成する画像形成部２０７、フィニッシャインターフェース（以下、フィニッシャＩ／Ｆと記す）２０８、外部Ｉ／Ｆ２０９等を有している。
フィニッシャ１０２は、フィニッシャＩ／Ｆ２０８を介して画像出力装置１００と接続されており、ＣＰＵ２０１の指示に従って、記録紙に折り等のフィニッシング処理を施す。そしてフィニッシャ１０２は、フィニッシング処理を施した記録紙を排紙トレイ１１０に排紙する。
プリンタ部２０６は、エンジンＩ／Ｆ２０３を介してシステムバス２０５と接続されており、ＣＰＵ２０１の指示に従って、画像出力装置１００で受信した画像データを出力する。
画像形成部２０７は、画像出力装置１００で受信した画像データやコードデータを記録紙に記録できる画像に展開する。例えば、画像形成部２０７は、後述する仕切紙付き成果物の印刷用データ４００を印刷する場合、まず受信した印刷用データ４００から仕切紙の印刷設定４０１と成果物の印刷設定４０３とから設定値を読み出す。そして画像形成部２０７は、印刷用データ４００から仕切紙の画像データ４０２と成果物の画像データ４０４を読み出して記録紙に記録できる画像に展開する。ＣＰＵ２０１は、展開された画像と読み出した設定値とを使って、フィニッシャ１０２でフィニッシング処理を施して出力する。
本実施形態では、画像形成部２０７において、成果物の印刷設定４０３から取り出した排紙先設定４２１を使って、排紙先設定４１１の仕切紙の排紙先設定を変更して同じ排紙先に出力を行う。
メモリ２０２に記憶されたプログラムが記憶部２０４に読み出され、ＣＰＵ２０１が読み出されたプログラムに基づき処理を実行することによって、画像出力装置１００の機能及び後述する図５、７、９、１１等のフローチャートの処理が実現される。
【００１１】
（フィニッシャ１０２の構成）
図３は、フィニッシャ１０２の断面の一例を示す図である。フィニッシャ１０２の構成を、図３を用いて説明する。
フィニッシャ１０２は、インサータ３０１、パンチングユニット３０２、ステイプラーユニット３０３、サドルステッチユニット３０４、Ｚ折りユニット３０５、可動トレイ３０６、３０７、製本トレイ３０８、排紙口３０９、３１０等を有する。
インサータ３０１では、予め印刷済の記録紙を、表紙や合紙として給紙することが可能となり、プリンタ部の記録紙経路を通すことがないため用紙を傷めず搬送することができる。画像出力装置にフィニッシャ１０２が接続されている場合、排出された記録紙を束ねて仕分けし、オペレータからの設定指示に応じてパンチングユニット３０２で記録紙にパンチが行われ、ステイプラーユニット３０３でステイプルが行われる。Ｚ折りユニット３０５が本体に装備されている場合には、Ｚ折りユニットへ記録紙が搬送され、オペレータからの設定指示に応じて記録紙にＺ折りが行われる。またサドルステッチユニット３０４を使用すると、オペレータからの設定指示に応じて記録紙の用紙中央で折って綴じる中綴じ製本処理を行って記録紙が製本される。サドルステッチユニット３０４を使用しないジョブは、排紙口３１０を通り、可動トレイ３０６と３０７とのどちらかに排出される。可動トレイ３０６と３０７とは両方共上下に動作することができ、可動トレイ３０６に出力する場合には可動トレイ３０７が排紙口３１０の位置まで降りる。サドルステッチユニット３０４を使用するジョブは、排紙口３０９を通り、製本トレイ３０８に排出される。
【００１２】
（印刷用データ４００のデータ構造）
図４は、印刷用データ４００のデータ構造の一例を示す図である。
印刷用データ４００は、仕切紙の印刷設定４０１、仕切紙の画像データ４０２、成果物の印刷設定４０３、成果物の画像データ４０４から構成される。仕切紙の印刷設定４０１は、排紙先設定４１１、フィニッシング設定４１２、用紙設定４１３、色設定４１４、イメージ設定４１５等の設定値から構成される。仕切紙を出力する際に、オペレータによって設定されたこれらの設定値を仕切紙に施すことによって、フィニッシング処理や色処理が行われる。
仕切紙の画像データ４０２は、仕切紙として成果物のジョブ名称や印刷枚数等の出力情報が記載された画像データである。
成果物の印刷設定４０３は、排紙先設定４２１、フィニッシング設定４２２、用紙設定４２３、色設定４２４、イメージ設定４２５等の設定値から構成される。成果物を出力する際に、オペレータによって設定されたこれらの設定値を成果物に施すことによって、フィニッシング処理や色処理が行われる。
成果物の画像データ４０４は、成果物のための画像データである。
本実施形態では、ＣＰＵ２０１は、成果物の印刷設定４０３に含まれる排紙先設定４２１から成果物の排紙先を判断し、排紙先設定４１１の仕切紙の排紙先設定を変更し、成果物と仕切り紙とを同じ排紙先に出力させることができる。
【００１３】
（実施形態１のフローチャートの説明）
次にフローチャートを用いて画像出力装置の情報処理の一例を説明する。
図５は、実施形態１の情報処理の一例を示すフローチャートである。
オペレータが外部装置１２０又は操作部１０１から仕切紙印刷の指示を行ったときの処理について説明したものである。
Ｓ５０１では、ＣＰＵ２０１は、外部装置１２０から受信した印刷用データ４００又は操作部１０１からオペレータの操作によって作成された印刷用データ４００を解析する。そしてＣＰＵ２０１は、Ｓ５０２に進む。
Ｓ５０２では、ＣＰＵ２０１は、Ｓ５０１で解析した結果を使って受信した印刷用データ４００に含まれる仕切紙データの有無を判定する。ＣＰＵ２０１は、仕切紙データが含まれていたならば（Ｓ５０２：はい）、Ｓ５０３に進み、もし含まれていないならば（Ｓ５０２：いいえ）、Ｓ５０７に進む。
Ｓ５０３では、ＣＰＵ２０１は、受信した印刷用データ４００に含まれる成果物データから成果物の印刷設定４０３の読み取りを行う。そしてＣＰＵ２０１は、Ｓ５０４に進む。
Ｓ５０４では、ＣＰＵ２０１は、Ｓ５０３で読み取った成果物の印刷設定から排紙先設定４２１を読み出す。ＣＰＵ２０１は、設定があるならば（Ｓ５０４：あり）、Ｓ５０５に進み、も設定がないならば（Ｓ５０４：なし）、Ｓ５０６に進む。
Ｓ５０５では、ＣＰＵ２０１は、Ｓ５０３で読み取った成果物の排紙先設定４２１を使って、排紙先設定４１１の仕切紙の排紙先設定を書き換える。そしてＣＰＵ２０１は、Ｓ５０６に進む。
Ｓ５０６では、ＣＰＵ２０１は、仕切紙データをエンジンＩ／Ｆ２０３を介してプリンタ部２０６に送信する。そしてＣＰＵ２０１は、Ｓ５０７に進む。Ｓ５０６の処理は、第１の送信処理の一例である。
Ｓ５０７では、ＣＰＵ２０１は、成果物データをエンジンＩ／Ｆ２０３を介してプリンタ部２０６に送信する。そしてＣＰＵ２０１は、Ｓ５０８に進む。Ｓ５０７の処理は、第２の送信処理の一例である。
Ｓ５０８では、ＣＰＵ２０１は、受信した仕切紙データと成果物データの印刷処理を行い、Ｓ５０８に進む。
Ｓ５０９では、ＣＰＵ２０１は、印刷の継続をするか否かの判定をする。ＣＰＵ２０１は、印刷を継続する（Ｓ５０９：する）ならばＳ５０１に戻り、印刷を継続しない（Ｓ５０９：しない）ならば処理を終了とする。
【００１４】
以上の情報処理により、成果物データの印刷設定を仕切紙データに反映させたあとに、仕切紙データと成果物データとの印刷処理を開始させることによって、仕切紙データと成果物データを同じ排紙先に出力することを実現している。
【００１５】
（実施形態１の仕切紙付き成果物印刷の出力の説明）
次に仕切紙付き成果物印刷の出力を説明する。
図６は、実施形態１の仕切紙付き成果物印刷の出力の結果を示す図である。
ＣＰＵ２０１がＳ５０１〜Ｓ５０９の処理を実行することにより仕切紙６０１と成果物６０２とを同じ排紙先に出力することができる。
【００１６】
＜実施形態２＞
実施形態１では、仕切紙データと成果物データの排紙先を一致させるために、ＣＰＵ２０１が、成果物データから読み取った印刷設定を用いて仕切紙データの排紙先設定を変更し、仕切紙データを成果物と同じ排紙先に排紙することを実現した。実施形態２では、オペレータの指示に従って、仕切紙データを成果物データと同じ排紙先に揃えて排紙するか、仕切紙データを成果物データの出力先に影響を受けずに排紙するかを選択可能にする。
ＣＰＵ２０１は、外部装置１２０又は操作部１０１を介して行ったオペレータの指示設定を、図４に示した仕切紙の印刷設定４０１の排紙先設定４１１に仕切紙の排紙先設定と共に格納する。ＣＰＵ２０１によるこの処理は、第１の設定処理の一例である。ＣＰＵ２０１は、仕切紙データを処理する際にオペレータの指示設定を読み取ることができる。
【００１７】
（実施形態２のフローチャートの説明）
図７は、実施形態２の情報処理の一例を示すフローチャートである。以下では、実施形態１の図５のフローチャートと異なる部分について主に説明を行う。
Ｓ５０２では、ＣＰＵ２０１は、Ｓ５０１で解析した結果を使って受信した印刷用データ４００に含まれる仕切紙データの有無を判定する。ＣＰＵ２０１は、仕切紙データが含まれていたならば（Ｓ５０２：はい）、Ｓ７０１に進み、もし含まれていないならば（Ｓ５０２：いいえ）、Ｓ５０７に進む。
Ｓ７０１では、ＣＰＵ２０１は、受信した印刷用データ４００に含まれる印刷設定から排紙先設定４１１を読み取る。ＣＰＵ２０１は、排紙先設定４１１のオペレータの指示設定が仕切紙と成果物とを同じ排紙先に揃えて出力するならば（Ｓ７０１：揃える）、Ｓ５０３に進む。一方、ＣＰＵ２０１は、排紙先設定４１１のオペレータの指示設定がオペレータによって予め設定された仕切紙の排紙先設定を優先して使用するならば（Ｓ７０１：仕切紙の設定を使う）、Ｓ５０６に進む。Ｓ７０１の処理は、第１の判定処理の一例である。
【００１８】
以上の情報処理により、オペレータの指示設定に応じて、成果物データの排紙先設定を仕切紙データに反映させずに、仕切紙データと成果物データとの印刷処理を開始させることによって仕切紙データと成果物データとを別々の排紙先に出力することを実現している。
またオペレータの指示設定に応じて、成果物データの排紙先設定を仕切紙データに反映させたあと、仕切紙データと成果物データとの印刷処理を開始させることによって仕切紙データと成果物データとを同じ排紙先に出力することを実現している。
【００１９】
（実施形態２の仕切紙付き成果物印刷の出力の説明）
次に仕切紙付き成果物印刷の出力を説明する。
図８は、実施形態２の仕切紙付き成果物印刷の出力の結果を示す図である。
ＣＰＵ２０１がＳ５０１〜Ｓ５０９、Ｓ７０１を実行することにより、仕切紙８０１と成果物８０２とは別々の排紙先に出力させたり、同じ排紙先に出力させたりすることができる。
【００２０】
＜実施形態３＞
実施形態２では、仕切紙データの排紙先選択を可能にした。実施形態３では、オペレータの指示に従って仕切紙データの印刷面の向きの制御を可能にする。
ＣＰＵ２０１は、外部装置１２０又は操作部１０１を介して行ったオペレータの指示設定を、図４に示した仕切紙及び成果物のイメージ設定４１５、４２５に格納する。ＣＰＵ２０１によるこの処理は、第２の設定処理の一例である。ＣＰＵ２０１は、仕切紙及び成果物データを処理する際にオペレータの指示設定を読み取ることができる。
【００２１】
（実施形態３のフローチャートの説明）
図９は、実施形態３の情報処理の一例を示すフローチャートである。以下では、実施形態１の図５のフローチャートと異なる部分について主に説明を行う。
Ｓ５０５の処理の後、ＣＰＵ２０１は、Ｓ９０１に進む。
Ｓ９０１では、ＣＰＵ２０１は、オペレータが指示する仕切紙の印刷面設定を判断する。ＣＰＵ２０１は、仕切紙の印刷面を内側にするならば（Ｓ９０１：内側）、Ｓ９０２に進み、もし仕切紙の印刷面を外側にするならば（Ｓ９０１：外側）、Ｓ５０６に進む。Ｓ９０１の処理は、仕切紙の印刷面設定を変更するか否かを判定する第２の判定処理の一例である。
Ｓ９０２では、ＣＰＵ２０１はオペレータの指示に従って、仕切紙の印刷する印刷面の設定を変更する。そしてＣＰＵ２０１は、Ｓ５０６に進む。Ｓ９０２の処理は、仕切紙の印刷面設定を変更すると判定された場合、仕切紙データの印刷面設定を変更する第１の変更処理の一例である。
【００２２】
以上の情報処理により、オペレータの印刷指示設定に従って、仕切紙データの印刷面設定に反映させることによって、印刷面が内側又は外側に変更可能としている。
【００２３】
（実施形態３の仕切紙付き成果物印刷の出力の説明）
次に仕切紙付き成果物印刷の出力を説明する。
図１０は、実施形態３の仕切紙付き成果物印刷の出力の結果を示す図である。
ＣＰＵ２０１がＳ５０１〜Ｓ５０９、Ｓ９０１〜Ｓ９０２を実行することにより仕切紙の印刷面の変更を可能にしている。
【００２４】
＜実施形態４＞
実施形態３では、仕切紙データの印刷面選択を可能にした。実施形態４では、仕切紙データの印刷向きの変更を可能にする。
ＣＰＵ２０１は、外部装置１２０又は操作部１０１を介して行ったオペレータの指示設定を、図４に示した仕切紙及び成果物のイメージ設定４１５、４２５に格納する。ＣＰＵ２０１によるこの処理は、第３の設定処理の一例である。ＣＰＵ２０１は、仕切紙及び成果物データを処理する際にオペレータの指示設定を読み取ることができる。
【００２５】
（実施形態４のフローチャートの説明）
図１１は、実施形態４の情報処理の一例を示すフローチャートである。以下では、実施形態１の図５のフローチャートと異なる部分について主に説明を行う。
Ｓ５０４では、ＣＰＵ２０１は、Ｓ５０３で読み取った成果物の印刷設定から排紙先設定４２１を読み出す。ＣＰＵ２０１は、設定があるならば（Ｓ５０４：あり）、Ｓ５０５に進み、も設定がないならば（Ｓ５０４：なし）、Ｓ１１０１に進む。
Ｓ５０５では、ＣＰＵ２０１は、Ｓ５０３で読み取った成果物の排紙先設定４２１を使って、排紙先設定４１１の仕切紙の排紙先設定を書き換える。そしてＣＰＵ２０１は、Ｓ１１０１に進む。
Ｓ１１０１では、ＣＰＵ２０１は、オペレータが指示する仕切紙の印刷向き設定値を判断する。ＣＰＵ２０１は、仕切紙の印刷向き設定変更があるならば（Ｓ１１０１：あり）、Ｓ１１０２に進み、もし印刷向き設定の変更がないならば（Ｓ１１０１：なし）、Ｓ５０６に進む。Ｓ１１０１の処理は、仕切紙の印刷向きを変更するか否かを判定する第３の判定処理の一例である。
Ｓ１１０２では、ＣＰＵ２０１は、オペレータの指示に従って、仕切紙の印刷向きを変更するために、仕切紙データの印刷向きを１８０度回転する設定を変更し、Ｓ５０６に進む。Ｓ１１０２の処理は、仕切紙の印刷向きを変更すると判定された場合、仕切紙データの印刷向きを変更する第２の変更処理の一例である。
【００２６】
以上の情報処理により、オペレータの指示に従って、仕切紙データの印刷向き設定を反映させることによって、印刷面が下向きになってしまっても印刷面を上向きに設定を変更可能としている。
【００２７】
（実施形態４の仕切紙付き成果物印刷の出力の説明）
次に仕切紙付き成果物印刷の出力を説明する。
図１２は、実施形態４の仕切紙付き成果物印刷の出力の結果を示す図である。
ＣＰＵ２０１がＳ５０１〜Ｓ５０９、Ｓ１１０１〜Ｓ１１０２を実行することにより仕切紙の印刷向きの変更を可能にしている。
【００２８】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２９】
以上、本発明の好ましい実施形態について詳述したが、本発明は係る特定の実施形態に限定されるものではない。例えば、上述した複数の実施形態の処理を任意に組み合わせて実施してもよい。また、図１に示した画像出力装置１００の全体構成は一例であり、画像出力装置１００は複数の操作部を有していてもよい。また、図２に示した画像出力装置１００のハードウェア構成も一例であり、画像出力装置１００は複数のＣＰＵ等を有していてもよい。
【００３０】
以上、上述した各実施形態の情報処理によれば、仕切紙と成果物とが同じ排紙先に出力されるようにすることができる。
【符号の説明】
【００３１】
１００  画像出力装置
１０１  操作部
２０１  ＣＰＵ
２０２  メモリ
２０４  記憶部
【図１】
2017134285.tif 000003
【図２】
2017134285.tif 000004
【図３】
2017134285.tif 000005
【図４】
2017134285.tif 000006
【図５】
2017134285.tif 000007
【図６】
2017134285.tif 000008
【図７】
2017134285.tif 000009
【図８】
2017134285.tif 000010
【図９】
2017134285.tif 000011
【図１０】
2017134285.tif 000012
【図１１】
2017134285.tif 000013
【図１２】
2017134285.tif 000014